(57)【要約】【課題】他の画像処理装置に記憶されているドキュメント情報を操作画面に表示する際に操作性を低下させることがなく、しかも自機で処理可能なファイル形式でない場合であってもファイル形式を変換することなくドキュメント情報を表示できるようにする。【解決手段】画像処理装置２ｂに存在する文書ボックス「ＢＯＸ２」を指定する操作がログインユーザーによって行われると（Ｐ６）、表示制御部は、文書ボックス「ＢＯＸ２」のドキュメント情報を画像処理装置２ｂに要求する。画像処理装置２ｂの表示制御部は、文書ボックス「ＢＯＸ２」に格納されているドキュメントファイルに基づいて、画像処理装置２ａに返信すべき表示画像を作成する（Ｐ７）。画像処理装置２ａの表示制御部は、画像処理装置２ｂからこの表示画像を受信すると、操作画面Ｇ３の嵌込み領域Ｒに該表示画像を嵌め込み、操作画面Ｇ４を表示部２３１に表示する（Ｐ８）。【選択図】図３
2015061259.tif 000002
【特許請求の範囲】
【請求項１】
ネットワーク経由で他の画像処理装置と通信可能な画像処理装置であって、
ドキュメントに関する操作画面を表示する表示手段と、
前記操作画面に対する操作を検知する操作検知手段と、
前記操作検知手段によって検知される操作に基づき前記他の画像処理装置に記憶されているドキュメント情報を前記操作画面に表示する際、前記他の画像処理装置にドキュメント情報に関する表示画像を要求し、前記他の画像処理装置から受信する表示画像を前記操作画面の一部の表示領域に嵌め込んで表示する表示制御手段と、
を備えることを特徴とする画像処理装置。
【請求項２】
外部端末と通信可能な通信手段を更に備え、
前記表示制御手段は、前記通信手段を介して、前記表示手段に表示する前記操作画面を前記外部端末に送信することにより、前記外部端末に前記操作画面を表示させることを特徴とする請求項１に記載の画像処理装置。
【請求項３】
前記表示制御手段は、前記操作検知手段によって検知される操作が前記一部の表示領域に対する操作であるとき、該操作に基づく操作情報を前記他の画像処理装置に送信し、該操作情報に基づいて前記他の画像処理装置において更新された表示画像を取得し、前記一部の表示領域に嵌め込んで表示することを特徴とする請求項１又は２に記載の画像処理装置。
【請求項４】
前記表示制御手段は、前記操作検知手段によって検知される操作が前記一部の表示領域に嵌め込まれた前記表示画像に含まれるドキュメントファイル画像を指定する操作であるとき、該操作に基づく操作情報を前記他の画像処理装置に送信し、前記ドキュメントファイル画像が指定された状態に更新された表示画面を取得することを特徴とする請求項３に記載の画像処理装置。
【請求項５】
前記表示制御手段は、前記操作検知手段によって検知される操作が前記一部の表示領域以外の周辺表示領域に対する操作であるとき、該操作に基づいて前記操作画面の全体を更新することを特徴とする請求項１乃至４のいずれかに記載の画像処理装置。
【請求項６】
前記表示制御手段は、前記周辺表示領域に対する前記操作が前記表示画像に含まれるドキュメントファイル画像のプレビュー表示を指示する操作であるとき、当該ドキュメントファイル画像に対応するドキュメントが所定のファイル形式であるか否かを判断し、所定のファイル形式でない場合、前記他の画像処理装置に当該ドキュメントファイル画像に対応するドキュメントのプレビュー画像を要求し、前記他の画像処理装置から受信するプレビュー画像を前記操作画面の一部の表示領域に嵌め込んで表示することを特徴とする請求項５に記載の画像処理装置。
【請求項７】
前記表示制御手段は、前記ドキュメントが前記所定のファイル形式である場合、前記他の画像処理装置に前記ドキュメントファイル画像に対応するドキュメントを要求し、前記他の画像処理装置から受信するドキュメントに基づいてプレビュー画像を生成して前記操作画面の一部の表示領域に表示することを特徴とする請求項６に記載の画像処理装置。
【請求項８】
前記表示制御手段は、前記ドキュメントが前記所定のファイル形式である場合において前記ドキュメントに地紋及びスタンプの少なくとも一方が付加されているときには、前記他の画像処理装置に前記ドキュメントのプレビュー画像を要求し、前記他の画像処理装置から受信するプレビュー画像を前記操作画面の一部の表示領域に嵌め込んで表示することを特徴とする請求項７に記載の画像処理装置。
【請求項９】
ドキュメントに関するジョブの実行を制御するジョブ制御手段、
を更に備え、
前記表示制御手段は、前記周辺表示領域に対する前記操作が前記表示画像に含まれるドキュメントファイル画像のプレビュー表示を指示する操作であるとき、前記ジョブ制御手段によるジョブの実行中であるか否かを判断し、前記ジョブ制御手段によるジョブの実行中である場合、前記他の画像処理装置に当該ドキュメントファイル画像に対応するドキュメントのプレビュー画像を要求し、前記他の画像処理装置から受信するプレビュー画像を前記操作画面の一部の表示領域に嵌め込んで表示することを特徴とする請求項５乃至８のいずれかに記載の画像処理装置。
【請求項１０】
前記表示制御手段は、前記他の画像処理装置に記憶されているドキュメント情報を前記操作画面に表示する際、前記他の画像処理装置において実行可能なドキュメント処理に関する機能情報を取得し、該機能情報に基づいて前記一部の表示領域以外の周辺表示領域に操作画像を表示し、前記操作検知手段によって検知される操作が前記操作画像に対する操作であるとき、該操作に基づく操作情報を前記他の画像処理装置に送信して前記他の画像処理装置に前記ドキュメント処理を実行させると共に、前記他の画像処理装置において更新された表示画像を取得して前記一部の表示領域に嵌め込んで表示することを特徴とする請求項１乃至９のいずれかに記載の画像処理装置。
【請求項１１】
前記表示制御手段は、前記他の画像処理装置からドキュメント情報に関する表示画像を要求されると、該要求に応じた表示画像を生成して前記他の画像処理装置に送信することを特徴とする請求項１乃至１０のいずれかに記載の画像処理装置。
【請求項１２】
第１及び第２の画像処理装置がネットワーク経由で互いに通信可能な画像処理システムであって、
前記第１の画像処理装置は、
ドキュメントに関する操作画面を表示する表示手段と、
前記操作画面に対する操作を検知する操作検知手段と、
前記操作検知手段によって検知される操作に基づき前記他の画像処理装置に記憶されているドキュメント情報を前記操作画面に表示する際、前記他の画像処理装置にドキュメント情報に関する表示画像を要求する第１の表示制御手段と
を備え、
前記第２の画像処理装置は、
前記要求に応じた表示画像を生成して前記第１の画像処理装置に送信する第２の表示制御手段を備え、
前記第１の表示制御手段は、
前記第２の表示制御手段によって送信される表示画像を受信し、該表示画像を前記操作画面の一部の表示領域に嵌め込んで表示することを特徴とする画像処理システム。
【請求項１３】
所定の表示手段における表示画面を、ネットワーク経由で他の画像処理装置と通信することによって更新する画面表示方法であって、
前記表示手段にドキュメントに関する操作画面を表示するステップと、
前記操作画面に対する操作を検知するステップと、
検知される操作に基づき前記他の画像処理装置に記憶されているドキュメント情報を前記操作画面に表示する際、前記他の画像処理装置にドキュメント情報に関する表示画像を要求し、前記他の画像処理装置から受信する表示画像を前記操作画面の一部の表示領域に嵌め込んで表示するステップと
を備えることを特徴とする画面表示方法。
【発明の詳細な説明】
【技術分野】
【０００１】
本発明は、画像処理装置、画像処理システム及び画面表示方法に関し、特に一の画像処理装置において他の画像処理装置に記憶されているドキュメントに関する情報を表示する技術に関する。
【背景技術】
【０００２】
近年、ＭＦＰ（Multifunction Peripherals）などの画像処理装置は、ネットワークに接続されており、他の画像処理装置において保持されている文書データをネットワーク経由で取得してジョブを実行することができるようになっている。このような画像処理装置において、他の画像処理装置に保存されている文書データをユーザーがジョブ実行対象として指定できるようにするためには、他の画像処理装置にどのような文書データが保存されているかを操作パネルに表示することが必要となる。そのため、従来は、ユーザーが一の画像処理装置に対して文書ボックスのリストを表示する指示を入力すると、当該一の画像処理装置が他の画像処理装置にボックス情報を要求し、それによって取得したボックス情報に基づいて文書ボックスのリストを作成して表示する技術が提案されている（例えば特許文献１）。
【先行技術文献】
【特許文献】
【０００３】
【特許文献１】特開２０１１−２１１３０２号公報
【発明の概要】
【発明が解決しようとする課題】
【０００４】
しかし、一の画像処理装置が他の画像処理装置から取得した情報に基づいてリスト表示画面を表示するとき、画面全体を切り替えてリスト表示画面を表示してしまうと、それまでに表示されていた操作ボタンなどが表示されなくなる。そのため、ユーザーがそれらの操作ボタンに対する操作を行いたい場合には、画面切替前の操作画面を再表示させるため画面切り替え操作を行うことが必要となる。そしてリスト表示画面と操作画面とを交互に参照しながら操作を行っていくときには、画面切り替え操作の頻度が上がり、操作性が悪いという問題がある。
【０００５】
また同様の問題は、リスト表示画面が表示されるまでに、ユーザーがジョブの設定操作などを行っていた場合にも発生する。すなわち、一の画像処理装置が他の画像処理装置から取得した情報に基づいてリスト表示画面を表示するとき、画面全体を切り替えてリスト表示画面を表示してしまうと、それまでに表示されていた設定画面を隠してしまうことになる。そのため、ユーザーが再度設定内容などを確認するためには、画面切替前の設定画面を再表示させるために画面切り替え操作を行うことが必要となり、操作性が悪くなる。
【０００６】
さらに一の画像処理装置が他の画像処理装置の文書ボックスに保存されている文書データを取得して文書のリスト表示などを行う場合、一の画像処理装置は他の画像処理装置に保存されている全ての文書データを処理可能なものでなければならない。例えば、一の画像処理装置が他の画像処理装置に保存されている文書データのデータフォーマット（ファイル形式）に対応していない場合には、他の画像処理装置から取得した文書データのリスト表示などを適切に行うことができなくなるという問題もある。これを防止するためには、２つの画像処理装置のいずれか一方に、一の画像処理装置で処理可能なファイル形式に変換する機能を搭載しておくことが考えられるが、そうすると文書データのファイル形式に新たな形式が追加される度に変換機能を更新しなくてはならず、却って利便性が低下する。
【０００７】
本発明は、上記問題点を解決すべくなされたものであり、他の画像処理装置に記憶されているドキュメント情報を操作画面に表示する際に操作性を低下させることがなく、しかも自機で処理可能なファイル形式でない場合であってもファイル形式を変換することなくドキュメント情報を表示できるようにした画像処理装置、画像処理システム及び画面表示方法を提供することを目的とする。
【課題を解決するための手段】
【０００８】
上記目的を達成するため、請求項１に記載の発明は、ネットワーク経由で他の画像処理装置と通信可能な画像処理装置であって、ドキュメントに関する操作画面を表示する表示手段と、前記操作画面に対する操作を検知する操作検知手段と、前記操作検知手段によって検知される操作に基づき前記他の画像処理装置に記憶されているドキュメント情報を前記操作画面に表示する際、前記他の画像処理装置にドキュメント情報に関する表示画像を要求し、前記他の画像処理装置から受信する表示画像を前記操作画面の一部の表示領域に嵌め込んで表示する表示制御手段と、を備えることを特徴とするものである。
【０００９】
請求項２に記載の発明は、請求項１に記載の画像処理装置において、外部端末と通信可能な通信手段を更に備え、前記表示制御手段は、前記通信手段を介して、前記表示手段に表示する前記操作画面を前記外部端末に送信することにより、前記外部端末に前記操作画面を表示させることを特徴とするものである。
【００１０】
請求項３に記載の発明は、請求項１又は２に記載の画像処理装置において、前記表示制御手段は、前記操作検知手段によって検知される操作が前記一部の表示領域に対する操作であるとき、該操作に基づく操作情報を前記他の画像処理装置に送信し、該操作情報に基づいて前記他の画像処理装置において更新された表示画像を取得し、前記一部の表示領域に嵌め込んで表示することを特徴とするものである。
【００１１】
請求項４に記載の発明は、請求項３に記載の画像処理装置において、前記表示制御手段は、前記操作検知手段によって検知される操作が前記一部の表示領域に嵌め込まれた前記表示画像に含まれるドキュメントファイル画像を指定する操作であるとき、該操作に基づく操作情報を前記他の画像処理装置に送信し、前記ドキュメントファイル画像が指定された状態に更新された表示画面を取得することを特徴とするものである。
【００１２】
請求項５に記載の発明は、請求項１乃至４のいずれかに記載の画像処理装置において、前記表示制御手段は、前記操作検知手段によって検知される操作が前記一部の表示領域以外の周辺表示領域に対する操作であるとき、該操作に基づいて前記操作画面の全体を更新することを特徴とするものである。
【００１３】
請求項６に記載の発明は、請求項５に記載の画像処理装置において、前記表示制御手段は、前記周辺表示領域に対する前記操作が前記表示画像に含まれるドキュメントファイル画像のプレビュー表示を指示する操作であるとき、当該ドキュメントファイル画像に対応するドキュメントが所定のファイル形式であるか否かを判断し、所定のファイル形式でない場合、前記他の画像処理装置に当該ドキュメントファイル画像に対応するドキュメントのプレビュー画像を要求し、前記他の画像処理装置から受信するプレビュー画像を前記操作画面の一部の表示領域に嵌め込んで表示することを特徴とするものである。
【００１４】
請求項７に記載の発明は、請求項６に記載の画像処理装置において、前記表示制御手段は、前記ドキュメントが前記所定のファイル形式である場合、前記他の画像処理装置に前記ドキュメントファイル画像に対応するドキュメントを要求し、前記他の画像処理装置から受信するドキュメントに基づいてプレビュー画像を生成して前記操作画面の一部の表示領域に表示することを特徴とするものである。
【００１５】
請求項８に記載の発明は、請求項７に記載の画像処理装置において、前記表示制御手段は、前記ドキュメントが前記所定のファイル形式である場合において前記ドキュメントに地紋及びスタンプの少なくとも一方が付加されているときには、前記他の画像処理装置に前記ドキュメントのプレビュー画像を要求し、前記他の画像処理装置から受信するプレビュー画像を前記操作画面の一部の表示領域に嵌め込んで表示することを特徴とするものである。
【００１６】
請求項９に記載の発明は、請求項５乃至８のいずれかに記載の画像処理装置において、ドキュメントに関するジョブの実行を制御するジョブ制御手段、を更に備え、前記表示制御手段は、前記周辺表示領域に対する前記操作が前記表示画像に含まれるドキュメントファイル画像のプレビュー表示を指示する操作であるとき、前記ジョブ制御手段によるジョブの実行中であるか否かを判断し、前記ジョブ制御手段によるジョブの実行中である場合、前記他の画像処理装置に当該ドキュメントファイル画像に対応するドキュメントのプレビュー画像を要求し、前記他の画像処理装置から受信するプレビュー画像を前記操作画面の一部の表示領域に嵌め込んで表示することを特徴とするものである。
【００１７】
請求項１０に記載の発明は、請求項１乃至９のいずれかに記載の画像処理装置において、前記表示制御手段は、前記他の画像処理装置に記憶されているドキュメント情報を前記操作画面に表示する際、前記他の画像処理装置において実行可能なドキュメント処理に関する機能情報を取得し、該機能情報に基づいて前記一部の表示領域以外の周辺表示領域に操作画像を表示し、前記操作検知手段によって検知される操作が前記操作画像に対する操作であるとき、該操作に基づく操作情報を前記他の画像処理装置に送信して前記他の画像処理装置に前記ドキュメント処理を実行させると共に、前記他の画像処理装置において更新された表示画像を取得して前記一部の表示領域に嵌め込んで表示することを特徴とするものである。
【００１８】
請求項１１に記載の発明は、請求項１乃至１０のいずれかに記載の画像処理装置において、前記表示制御手段は、前記他の画像処理装置からドキュメント情報に関する表示画像を要求されると、該要求に応じた表示画像を生成して前記他の画像処理装置に送信することを特徴とするものである。
【００１９】
請求項１２に記載の発明は、第１及び第２の画像処理装置がネットワーク経由で互いに通信可能な画像処理システムであって、前記第１の画像処理装置は、ドキュメントに関する操作画面を表示する表示手段と、前記操作画面に対する操作を検知する操作検知手段と、前記操作検知手段によって検知される操作に基づき前記他の画像処理装置に記憶されているドキュメント情報を前記操作画面に表示する際、前記他の画像処理装置にドキュメント情報に関する表示画像を要求する第１の表示制御手段とを備え、前記第２の画像処理装置は、前記要求に応じた表示画像を生成して前記第１の画像処理装置に送信する第２の表示制御手段を備え、前記第１の表示制御手段は、前記第２の表示制御手段によって送信される表示画像を受信し、該表示画像を前記操作画面の一部の表示領域に嵌め込んで表示することを特徴とするものである。
【００２０】
請求項１３に記載の発明は、所定の表示手段における表示画面を、ネットワーク経由で他の画像処理装置と通信することによって更新する画面表示方法であって、前記表示手段にドキュメントに関する操作画面を表示するステップと、前記操作画面に対する操作を検知するステップと、検知される操作に基づき前記他の画像処理装置に記憶されているドキュメント情報を前記操作画面に表示する際、前記他の画像処理装置にドキュメント情報に関する表示画像を要求し、前記他の画像処理装置から受信する表示画像を前記操作画面の一部の表示領域に嵌め込んで表示するステップとを備えることを特徴とするものである。
【発明の効果】
【００２１】
本発明によれば、他の画像処理装置に記憶されているドキュメント情報を操作画面に表示する際、他の画像処理装置で生成された表示画像を取得し、その表示画像を操作画面の一部の表示領域に嵌め込んで表示するため、ユーザーがそれ以前に設定した設定内容などを操作画面に嵌め込まれた表示画像の周囲に表示することができるので、画面切り替え操作などを行う必要がなく、操作性を改善することができる。また、操作画面の一部に嵌め込んで表示する表示画像は他の画像処理装置で生成されるので、他の画像処理装置に記憶されているドキュメントが自機で処理可能なファイル形式でない場合であってもそのドキュメントに関する情報を表示することができるようになる。
【図面の簡単な説明】
【００２２】
【図１】本発明の一実施形態である画像処理システムの全体構成例を示す図である。
【図２】画像処理システムにおける画像処理装置の構成例を示す図である。
【図３】自機から他の画像処理装置の文書ボックスにアクセスされる場合の自機と他の画像処理装置の処理手順を示すプロセス図である。
【図４】操作画面の一例を示す図である。
【図５】操作画面の一例を示す図である。
【図６】（ａ）は、要求情報のフォーマット例、（ｂ）は、返信情報のフォーマット例を示す図である。
【図７】（ａ）は、操作画面の一例、（ｂ）は、表示画像の一例を示す図である。
【図８】操作画面の一例を示す図である。
【図９】倍率調整処理のフローチャートである。
【図１０】操作情報のフォーマット例を示す図である。
【図１１】座標変換処理を示すフローチャートである。
【図１２】操作画面の一例を示す図である。
【図１３】プレビューボタンがログインユーザーにより操作された場合の表示処理を示すフローチャートである。
【図１４】（ａ）は、要求情報のフォーマットの一例、（ｂ）は、返信情報のフォーマットの一例を示す図である。
【図１５】（ａ）は、操作画面の一例、（ｂ）は、プレビュー画像を含む表示画像の一例を示す図である。
【図１６】操作画面の一例を示す図である。
【図１７】プレビューボタンがログインユーザーにより操作された場合の別の表示処理を示すフローチャートである。
【図１８】操作情報のフォーマットの一例を示す図である。
【図１９】操作画面の一例を示す図である。
【発明を実施するための形態】
【００２３】
以下、本発明に関する好ましい実施形態について図面を参照しつつ詳細に説明する。なお、以下に説明する実施形態において互いに共通する部材には同一符号を付しており、それらについての重複する説明は省略する。
【００２４】
図１は、本発明の一実施形態である画像処理システム１の全体構成例を示す図である。図１に示すように、画像処理システム１は、複数の画像処理装置２（２ａ〜２ｃ）が通信ネットワーク３を介して相互に通信が可能な構成である。通信ネットワーク３は、例えば、一般的なオフィス内に構築されるＬＡＮ（Local Area Network）である。但し、これに限定されず通信ネットワーク３は、ＷＡＮ（Wide Area Network）などの広域的な通信網を含む複合的な通信ネットワークであってもよい。また、画像処理装置２は、少なくとも２台用意されていれば良く、図示されている数に限られるものではない。
【００２５】
画像処理装置２は、例えばＭＦＰなどのような複数のドキュメント処理機能を有する装置によって構成される。そのようなドキュメント処理機能としては、例えばスキャン機能やプリント機能、ファクシミリ機能、ボックス機能などがある。スキャン機能は、原稿を読み取ってドキュメントファイルを生成する機能である。プリント機能は、ユーザーによって指定されたドキュメントファイルに基づいて印刷出力を行う機能である。ファクシミリ機能は、ドキュメントファイルをファクシミリ送信したり、ファクシミリ受信によりドキュメントファイルを取得したりする機能である。更に、ボックス機能は、ドキュメントファイルを保存しておく機能である。そして画像処理装置２は、上記のような各機能を単独で或いは複合的に動作させることにより、スキャンジョブやプリントジョブなどのユーザーによって指定されたジョブを実行する。
【００２６】
尚、複数の画像処理装置２ａ，２ｂ，２ｃのそれぞれで処理可能なドキュメントファイルのファイル形式（データフォーマット）は互いに異なるものであっても構わない。また複数の画像処理装置２ａ，２ｂ，２ｃのそれぞれに搭載されているドキュメント処理機能は互いに異なるものであっても構わない。
【００２７】
各画像処理装置２は、ドキュメントファイルを保存する記憶部２５（図２参照）を備えている。この記憶部２５には、ドキュメントファイルを保存するための記憶領域である文書ボックスが設けられる。文書ボックスは、例えばユーザーごとに設けられ、各ユーザーの識別情報（ユーザーＩＤ及びパスワード）が設定されている。そのため、各ユーザーは、自身の識別情報を入力することによって各画像処理装置２にログインすると、各画像処理装置２に設けられている自身の文書ボックスにアクセスすることが可能となり、その文書ボックスに保存されているドキュメントファイルに対してもアクセスすることができる。
【００２８】
また各画像処理装置２は、通信ネットワーク３を介した通信により、他の画像処理装置２における文書ボックス内のドキュメントファイルに関する情報を取得して、例えばドキュメントファイルのリストなどを表示することが可能となっている。
【００２９】
さらに各画像処理装置２は、図１に示すようにスマートフォンやタブレット端末などの外部端末９と近距離無線通信などによって互いに通信可能である。そして各画像処理装置２は、自機において表示する操作画面を外部端末９に送信することにより、その操作画面を外部端末９の表示部９ａに表示させることが可能である。
【００３０】
図２は、画像処理装置２の構成例を示す図である。図２に示すように、画像処理装置２は、画像読取部２１、画像形成部２２及び操作パネル２３を備えている。また、画像処理装置２は、通信ネットワーク３を介して他の画像処理装置と通信を行ったり、近距離無線通信などによって外部端末９と通信を行ったりするための通信インタフェース（Ｉ／Ｆ）部２４と、ハードディスクドライブ（ＨＤＤ）やソリッドステートドライブ（ＳＳＤ）等の不揮発性記憶手段で構成される記憶部２５と、ＣＰＵ及びメモリを有する制御部２６とを備えている。そして、画像処理装置２は、これらの構成要素２１〜２６がデータバスＤＢを介して相互にデータの入出力を行うことができる構成とされている。
【００３１】
操作パネル２３は、表示部２３１と操作部２３２とを備えている。表示部２３１は、例えばカラー液晶ディスプレイなどで構成され、操作パネル２３を操作するユーザーに対して各種の情報を表示する。操作部２３２は、表示部２３１に隣接配置された各種の押しボタンキーや表示部２３１の表示画面上に配置されるタッチパネルセンサーなどで構成され、画像処理装置２のユーザーから操作入力を受け付ける。このような構成により、操作パネル２３は、例えばドキュメントファイルに関する操作画面などの各種操作画面を表示部２３１に表示して、ユーザーからの各種操作入力を受け付けることができる。
【００３２】
制御部２６は、ＣＰＵがメモリに記憶されているプログラムを実行することにより、各部の動作を制御するものである。また、本実施形態では、制御部２６は、ＣＰＵがプログラムを実行することにより、ジョブ制御部２６１、操作検知部２６２及び表示制御部２６３として機能する。
【００３３】
ジョブ制御部２６１は、ユーザーによって指定されたジョブの実行を制御する。例えばプリントジョブの場合、ジョブ制御部２６１は、ユーザーによって指定されたドキュメントファイルに基づいて画像形成部２２の動作を制御することによりプリントジョブの実行を制御する。操作検知部２６２は、操作部２３２から出力される操作信号に基づいて、表示部２３１の操作画面に対する操作を検知する。
【００３４】
表示制御部２６３は、表示部２３１に表示する各種操作画面の表示制御を行う。例えば、表示制御部２６３は、ユーザーがジョブの設定操作を行うための操作画面や、ユーザーがドキュメントファイルを指定するためのドキュメントファイルに関する操作画面などを表示部２３１に表示する。また表示制御部２６３は、それらの操作画面を表示しているときに、操作検知部２６２によって操作画面に対するユーザーの操作が検知されると、その操作に基づき表示部２３１に表示している操作画面を更新する。
【００３５】
また表示制御部２６３は、操作パネル２３の表示部２３１に表示するために生成する各種操作画面を、通信インタフェース部２４を介して外部端末９に送信することにより、それらの操作画面を外部端末９の表示部９ａに表示させることが可能である。それらの操作画面を外部端末９に表示しているときに、外部端末９においてユーザーによる操作が行われると、表示制御部２６３は、外部端末９から操作情報を取得し、その操作情報に基づいて外部端末９に表示している操作画面を更新する。したがって、ユーザーは、操作パネル２３に対する操作を行うことによって画像処理装置２を使用することが可能であると共に、外部端末９を操作することによって画像処理装置２から比較的離れた位置で画像処理装置２を使用することも可能である。
【００３６】
特に本実施形態の表示制御部２６３は、画像処理装置２にユーザーがログインした状態となり、そのユーザーがアクセス可能な文書ボックスやドキュメントファイルなどのドキュメントに関する操作画面を表示するとき、通信ネットワーク３を介して他の画像処理装置と通信を行うことにより、他の画像処理装置においてそのユーザーがアクセス可能な文書ボックスやドキュメントファイルなどをその操作画面に表示することができるように構成される。
【００３７】
また表示制御部２６３は、そのような操作画面に表示される文書ボックスの中から一の文書ボックスを指定する操作が操作検知部２６２により検知されると、その指定された文書ボックスに格納されているドキュメントファイルに関する情報を表示する操作画面に更新する。このとき、ユーザーによって他の画像処理装置２の文書ボックスが指定されていれば、表示制御部２６３は、通信ネットワーク３を介して他の画像処理装置と通信を行うことにより、操作画面を更新するための情報を他の画像処理装置から取得する。
【００３８】
また表示制御部２６３は、ユーザーによって指定された一の文書ボックスに格納されているドキュメントファイルに関する情報を操作画面に表示するとき、その操作画面の一部に、ドキュメントファイルに関する情報を表示するための表示領域を設ける。このような表示領域は、例えば操作画面の中央の一部に設定され、ドキュメントファイルのサムネイル画像（ドキュメントファイル画像）やプレビュー画像などのドキュメント情報に関する各種表示画像を表示するための領域として使用される。そして表示制御部２６３は、例えばユーザーによって指定された文書ボックスが他の画像処理装置２に存在し、その文書ボックスに保存されているドキュメントファイルが自機で処理可能なファイル形式でない場合には、その文書ボックスを有する他の画像処理装置２に対して、その表示領域に表示する表示画像の作成を要求する。そして表示制御部２６３は、他の画像処理装置２から表示画像を受信すると、その受信した表示画像を表示部２３１に表示されている操作画面の一部の表示領域に嵌め込んで表示する。以下、このような画像処理システム１における具体的な動作について説明する。尚、以下においては、主として操作パネル２３の表示部２３１に表示する操作画面の画面制御を例に挙げて説明するが、ユーザーが外部端末９を操作することによって画像処理装置２を使用している場合には、以下に説明する操作画面と同様の操作画面が外部端末９の表示部９ａに表示されることになる。
【００３９】
図３は、一の画像処理装置２ａから他の画像処理装置２ｂの文書ボックスにアクセスする場合の画像処理装置２ａ，２ｂの処理手順の一例を示すプロセス図である。なお、図３以降の各図においては、文書ボックスを「ＢＯＸ」と表記している。
【００４０】
図３に示すように、画像処理装置２ａにおいてユーザーが自身の識別情報を用いてログインすると（プロセスＰ１）、表示制御部２６３は、例えば図４に示すようなログインユーザーに対応する操作画面Ｇ１を表示部２３１に表示する。この操作画面Ｇ１には、「ＢＯＸ」ボタンＢ１が設けられており、ログインユーザーがこの「ＢＯＸ」ボタンＢ１を操作すると（プロセスＰ２）、表示制御部２６３は、通信ネットワーク３を介して接続されている他の画像処理装置２ｂに対して当該ログインユーザーがアクセス可能な文書ボックスに関する情報を要求する。このとき、表示制御部２６３は、さらに別の画像処理装置２ｃに対してもログインユーザーがアクセス可能な文書ボックスに関する情報を要求しても良い。
【００４１】
画像処理装置２ａからログインユーザーがアクセス可能な文書ボックスに関する情報が要求される他の画像処理装置２ｂは、ログインユーザーがアクセス可能な文書ボックスを自機に格納しているか否か検索する（プロセスＰ３）。これと並行して、一の画像処理装置２ａにおいてもログインユーザーがアクセス可能な文書ボックスの検索が行われる（プロセスＰ４）。なお、ここでは、ログインユーザーに対応する文書ボックス「ＢＯＸ１」が画像処理装置２ａに存在し、文書ボックス「ＢＯＸ２」が画像処理装置２ｂに存在するものとする。
【００４２】
画像処理装置２ｂは、ログインユーザーがアクセス可能な文書ボックス「ＢＯＸ２」が自機に存在していることを検出すると、その文書ボックス「ＢＯＸ２」に関する情報を画像処理装置２ａに送信する。その結果、画像処理装置２ａは、画像処理装置２ｂから文書ボックス「ＢＯＸ２」に関する情報を受信する。また画像処理装置２ａは、ログインユーザーがアクセス可能な文書ボックス「ＢＯＸ１」が自機に存在していることを検出する。
【００４３】
その後、画像処理装置２ａと画像処理装置２ｂは機能情報の交換を行う。この機能情報の交換により、画像処理装置２ｂから画像処理装置２ａに対して画像処理装置２ｂに搭載されているドキュメント処理機能に関する機能情報が通知されるので、画像処理装置２ａは、画像処理装置２ｂにおいて実行可能なドキュメント処理機能を把握することができる。
【００４４】
画像処理装置２ａの表示制御部２６３は、画像処理装置２ｂとの機能情報の交換後、画像処理装置２ｂに存在するログインユーザーがアクセス可能な文書ボックス「ＢＯＸ２」に関する情報を表示部２３１に表示するとともに、自機に存在するログインユーザーがアクセス可能な文書ボックス「ＢＯＸ１」に関する情報を表示部２３１に表示することにより操作画面を更新する（プロセスＰ５）。このとき表示部２３１に表示される操作画面Ｇ２の一例を図５に示す。
【００４５】
図５に示すように、操作画面Ｇ２には、自機に存在する文書ボックス「ＢＯＸ１」を示すアイコンと、画像処理装置２ｂに存在する文書ボックス「ＢＯＸ２」を示すアイコンとが表示されている。また、操作画面Ｇ２は、図４に示す操作画面Ｇ１に対して、画像処理装置２ｂにおいて実行可能なドキュメント処理機能に対応する操作ボタンＢ２〜Ｂ４が新たに設けられた画面構成となっている。これら操作ボタンＢ２〜Ｂ４は、上述した機能情報の交換によって画像処理装置２ｂにおいて実行可能な機能が特定されることにより追加的に表示されるボタンである。尚、画像処理装置２ｂにおいて実行可能なドキュメント処理機能に対応する操作ボタンＢ２〜Ｂ４を追加して操作画面Ｇ２に表示するときには、画像処理装置２ａにおいて実行可能なドキュメント処理機能を除外し、画像処理装置２ｂにおいてのみ実行可能なドキュメント処理機能に対応する操作ボタンだけを表示するようにしても良い。
【００４６】
また図５に示す操作画面Ｇ２では、それ以前の操作画面Ｇ１で表示されていた「ＢＯＸ」ボタンＢ１の表示状態が継続される。そのため、操作画面Ｇ１から操作画面Ｇ２に更新された後に、ユーザーが再度「ＢＯＸ」ボタンＢ１を操作するときでも、操作画面Ｇ２をそれ以前の操作画面Ｇ１に戻す必要がなく、操作性が向上する。
【００４７】
このような操作画面Ｇ２において、矢印Ａに示すように、画像処理装置２ｂに存在する文書ボックス「ＢＯＸ２」を指定する操作がログインユーザーによって行われると（プロセスＰ６）、表示制御部２６３は、その指定された文書ボックス「ＢＯＸ２」のドキュメントファイルに関する表示画像を画像処理装置２ｂに要求する。この要求情報のフォーマット例を図６（ａ）に示す。
【００４８】
図６（ａ）に示すように、要求情報は、ドキュメントファイルに関する表示画像の要求対象である文書ボックスを特定するために文書ボックスの名称などの情報を含んでいる。また要求情報には、ドキュメントファイルに関する表示画像の画像サイズを指定するために画像幅と画像高さとを指定する情報が含まれる。図６（ａ）に示す例では、文書ボックス「ＢＯＸ２」に保存されているドキュメントファイルに関する情報を表示するための表示画像を、幅５００（pixel）、高さ２００（pixel）の表示サイズで画像処理装置２ｂに要求する要求情報となっている。
【００４９】
画像処理装置２ｂの表示制御部２６３は、文書ボックス「ＢＯＸ２」のドキュメントファイルに関する表示画面を要求されると、その文書ボックス「ＢＯＸ２」に保存されているドキュメントファイルに基づくサムネイル画像を生成すると共に、そのサムネイル画像を配置したビットマップ画像を生成することにより、画像処理装置２ａに返信すべき表示画像を作成する（プロセスＰ７）。このとき、画像処理装置２ｂの表示制御部２６３は、画像処理装置２ａから指定されたサイズの表示画像を生成する。ただし、画像処理装置２ｂの表示制御部２６３に実装されている表示画像生成機能によっては、画像処理装置２ａから指定されたサイズの表示画像を生成することができない場合もある。そのような場合、画像処理装置２ｂの表示制御部２６３は、画像処理装置２ａから指定されたサイズには一致しないサイズの表示画像を生成する。このようにして生成される表示画像ＧＨ１の一例を図７（ｂ）に示す。図７（ｂ）に示す表示画像ＧＨ１は、文書ボックス「ＢＯＸ２」に２つのドキュメントファイルが存在することを示す画像であり、それら２つのドキュメントファイルのそれぞれに対応するサムネイル画像Ｌ１，Ｌ２が含まれる。つまり、画像処理装置２ｂの表示制御部２６３は、文書ボックス「ＢＯＸ２」に保存されている２つのドキュメントファイルを読み出し、それぞれのサムネイル画像を生成してビットマップに変換することにより、図７（ｂ）に示すような表示画像ＧＨ１を生成する。そして、画像処理装置２ｂの表示制御部２６３は、上記のようにして生成した表示画像ＧＨ１を画像処理装置２ａに送信する。このとき、画像処理装置２ｂの表示制御部２６３は、表示画像ＧＨ１と共に、その表示画像ＧＨ１に関する返信情報を画像処理装置２ａに送信する。この返信情報のフォーマット例を図６（ｂ）に示す。
【００５０】
図６（ｂ）に示すように、返信情報は、表示画像ＧＨ１に対応する文書ボックスの名称、表示画像ＧＨ１の幅及び高さ、表示画像ＧＨ１のデータ量、文書ボックス「ＢＯＸ２」に存在するドキュメントファイルの数、各ドキュメントファイルのファイル形式、各ドキュメントファイルに付加されている情報（付加情報）の各項目から成る情報である。図６（ｂ）に示す例では、文書ボックス「ＢＯＸ２」のドキュメントファイルに関する表示画像ＧＨ１を、幅５００（pixel）、高さ２００（pixel）の画像サイズで作成したこと、及び、その表示画像ＧＨ１のデータ量が「１０２４（Kbyte）」であることを示している。また、文書ボックス「ＢＯＸ２」に格納されているドキュメントファイルの数は２つであり、１つは、地紋及びスタンプが付加されたＰＤＦ形式のドキュメントファイル、もう１つは、付加情報の無いＪＰＥＧ形式のドキュメントファイルであることを示している。このような返信情報が表示画像ＧＨ１と共に送信されることにより、画像処理装置２ａは、ログインユーザーによって指定された文書ボックスに保存されているドキュメントファイルのファイル形式などを把握することができるようになる。
【００５１】
画像処理装置２ａは、画像処理装置２ｂからドキュメントファイルに関する表示画像ＧＨ１と、その表示画像ＧＨ１に関する返信情報とを受信すると、返信情報をメモリなどに一時的に記憶する。そして画像処理装置２ａは、画像処理装置２ｂから受信する表示画像ＧＨ１を操作画面の一部の表示領域に嵌め込んで表示する。図７（ａ）は、操作画面Ｇ３の一部に設定される表示画像ＧＨ１の表示領域Ｒを示している。この表示領域Ｒは、例えば幅５００（pixel）、高さ２００（pixel）のサイズで構成される。尚、以下においては、図７（ａ）に示す一部の表示領域Ｒを嵌込み領域Ｒという。
【００５２】
画像処理装置２ａの表示制御部２６３は、図７（ａ）に示す嵌込み領域Ｒに、他の画像処理装置２ｂで生成された図７（ｂ）の表示画像ＧＨ１を嵌め込むことにより、図８に示すような操作画面Ｇ４を生成し、その操作画面Ｇ４を表示部２３１に表示する（プロセスＰ８）。これにより、画像処理装置２ａの操作パネル２３に表示される操作画面は、図５の操作画面Ｇ２から図８の操作画面Ｇ４へと更新される。
【００５３】
このように本実施形態では、一の画像処理装置２ａを操作しているユーザーが他の画像処理装置２ｂに設けられている文書ボックスを指定した場合には、その文書ボックスに保存されているドキュメントファイルに関する表示画面ＧＨ１が他の画像処理装置２ｂで作成されるため、一の画像処理装置２ａでは、表示画像ＧＨ１を生成する必要がない。そして他の画像処理装置２ｂの文書ボックスに保存されているドキュメントファイルが一の画像処理装置２ａにおいて処理可能なファイル形式でない場合であっても、当該一の画像処理装置２ａにおいて、そのドキュメントファイルに対応するサムネイル画像を正常に表示することができるようになる。
【００５４】
また他の画像処理装置２ｂで作成された表示画像ＧＨ１は、表示部２３１に表示される操作画面Ｇ４の全体に表示されるのではなく、操作画面Ｇ４の一部の嵌込み領域Ｒに表示される。これにより、図８に示す操作画面Ｇ４における嵌込み領域Ｒ以外の領域では、それ以前の操作画面Ｇ２で表示されていた「ＢＯＸ」ボタンＢ１や、画像処理装置２ｂにおいて実行可能なドキュメント処理機能に対応する操作ボタンＢ２〜Ｂ４の表示状態を継続することができる。そのため、操作画面Ｇ２から操作画面Ｇ４に更新された後に、ユーザーがそれらのボタンＢ１〜Ｂ４を操作するときでも、操作画面Ｇ４をそれ以前の操作画面Ｇ２に戻す必要がなく、そのまま操作を行うことができるので操作性が向上する。
【００５５】
またユーザーがそれ以前にジョブの設定操作などを行っていた場合には、表示画像ＧＨ１が嵌め込まれた嵌込み領域Ｒを除く、周辺の表示領域に対して、それ以前にユーザーが設定したジョブの設定内容などを表示することも可能である。そのため、ユーザーが設定内容などを確認するために画面切り替え操作などを行う必要がなくなるので、この点においても操作性が向上する。
【００５６】
ここで、画像処理装置２ａが画像処理装置２ｂから受信する表示画像ＧＨ１の画像サイズは、嵌込み領域Ｒのサイズに必ずしも一致しないこともある。そのような場合、画像処理装置２ａの表示制御部２６３は、次のような倍率調整処理を行うように構成される。図９は、この倍率調整処理のフローチャートである。
【００５７】
図９に示すように、表示制御部２６３は、まず画像処理装置２ｂから受信した表示画像ＧＨ１の幅及び高さから画像サイズ（面積）を取得する（ステップＳ２１）。例えば、表示制御部２６３は、表示画像ＧＨ１と共に受信する返信情報から画像幅及び画像高さを抽出することにより画像サイズを取得してもよい。ただし、これに限らず、表示画像ＧＨ１を解析することにより、画像サイズを取得するものであっても構わない。そして表示制御部２６３は、嵌込み領域Ｒのサイズと、画像処理装置２ｂから受信した表示画像ＧＨ１の画像サイズのサイズ比、すなわち倍率を算出する（ステップＳ２２）。例えば表示画像ＧＨ１の画像サイズを、嵌込み領域Ｒのサイズで除算することにより倍率を算出する。
【００５８】
次に、表示制御部２６３は、算出した倍率が１００（％）であるか否かを判断する（ステップＳ２３）。算出した倍率が１００（％）でない場合（ステップＳ２３でＮＯ）、表示制御部２６３は、その算出倍率が１００（％）より大きいか否かを判断する（ステップＳ２４）。算出倍率が１００（％）より大きい場合（ステップＳ２４でＹＥＳ）、表示制御部２６３は、幅方向の倍率及び高さ方向の倍率をそれぞれ算出し、嵌込み領域Ｒからはみ出ないようにするため、それらの倍率のうち大きい方の倍率が１００（％）となるように表示画像ＧＨ１を縮小する（ステップＳ２５）。一方、算出倍率が１００（％）より小さい場合（ステップＳ２４でＮＯ）、表示制御部２６３は、嵌込み領域Ｒからはみ出ないようにするため、幅方向及び高さ方向の倍率のうち大きい方の倍率が１００（％）となるように表示画像ＧＨ１を拡大する（ステップＳ２６）。ステップＳ２５又はＳ２６の処理後、表示制御部２６３は、倍率調整した表示画像ＧＨ１を嵌込み領域Ｒに嵌め込む（ステップＳ２７）。
【００５９】
なお、表示制御部２６３は、算出した倍率が１００（％）である場合（ステップＳ２３でＹＥＳ）、ステップＳ２４〜Ｓ２６の処理をとばして、ステップＳ２７の処理を行う。
【００６０】
このようにして生成される操作画面Ｇ４が表示されているとき、ユーザーによって嵌込み領域Ｒの内側に対する操作が行われると（プロセスＰ９）、表示制御部２６３は、その操作情報を画像処理装置２ｂに送信する。この操作情報のフォーマット例を図１０に示す。
【００６１】
図１０に示すように、操作情報は、通知内容と、操作位置を示すＸ座標及びＹ座標に関する情報とを含んでいる。通知内容は、ユーザーが行った操作内容を示す情報である。またＸ座標及びＹ座標は、嵌込み領域Ｒに表示されている表示画像ＧＨ１に対してユーザーが行った操作位置を示す情報であり、例えば表示画像ＧＨ１の左上隅などを原点として定義されるＸＹ２次元座標系で表された座標である。この座標は、図１１に示すような座標変換処理を行うことで算出する。図１１は、座標変換処理を示すフローチャートである。
【００６２】
図１１に示すように、表示制御部２６３は、操作検知部２６２からユーザーによってタッチされた座標を取得すると（ステップＳ３１）、そのタッチ位置が嵌込み領域Ｒ内であるか否かを判断する（ステップＳ３２）。表示制御部２６３は、そのタッチ位置が嵌込み領域Ｒ内であると判断すると（ステップＳ３２でＹＥＳ）、そのタッチ位置を、嵌込み領域Ｒ内に定義されるＸＹ２次元座標系に基づく座標値に変換する（ステップＳ３３）。
【００６３】
次に、表示制御部２６３は、前述したように嵌込み領域Ｒへの表示画像ＧＨ１の嵌込み時に表示画像ＧＨ１の倍率調整（拡大・縮小）が行ったか否かを判断する（ステップＳ３４）。倍率調整が行われている場合には（ステップＳ３４でＹＥＳ）、表示制御部２６３は、その調整倍率を用いて、ステップＳ３３で算出した座標値を、倍率調整を行う前の表示画像（画像処理装置２ｂから受信した表示画像）における座標に変換する（ステップＳ３５）。この座標は、画像処理装置２ｂが画像処理装置２ａに送信した表示画像においてユーザーがタッチした位置を示す座標となる。尚、図１０の例では、このような座標変換処理によって得られる座標が（Ｘ，Ｙ）＝（５０，４０）であることを示している。そして表示制御部２６３は、その座標を含む操作情報を画像処理装置２ａに送信する（ステップＳ３６）。
【００６４】
図３に戻り、この操作情報を受信した画像処理装置２ｂは、その操作情報の座標に基づき、表示画像ＧＨ１においてユーザーが指定したドキュメントファイルを特定する。そして画像処理装置２ｂの表示制御部２６３は、指定されたドキュメントファイルとそれ以外のドキュメントファイルとを視覚的に区別できる新たな表示画像ＧＨ２を作成し、その新たな表示画像ＧＨ２を画像処理装置２ａに送信する（プロセスＰ１０）。
【００６５】
そして画像処理装置２ａの表示制御部２６３は、画像処理装置２ｂから受信する新たな表示画像ＧＨ２を適宜倍率調整を行いながら嵌込み領域Ｒに嵌め込んで表示することにより操作画面を更新する（プロセスＰ１１）。図１２に、このときの操作画面Ｇ５の一例を示す。図１２に示す操作画面Ｇ５においては、ユーザーによって指定されたドキュメントファイルに対応するサムネイル画像Ｌ１が例えば所定の色に着色された表示画像ＧＨ２が嵌込み領域Ｒに表示されている。これにより、ログインユーザーは、自身が指定したドキュメントファイルが指定された状態になっていることを確認することができる。
【００６６】
また他の画像処理装置２ｂで作成された表示画像ＧＨ２は、表示部２３１に表示される操作画面Ｇ５の全体に表示されるのではなく、上述した表示画像ＧＨ１と同様、操作画面Ｇ５の一部の嵌込み領域Ｒに嵌め込まれた状態で表示される。これにより、図１２に示す操作画面Ｇ５の嵌込み領域Ｒ以外の領域では、それ以前の操作画面Ｇ４で表示されていた「ＢＯＸ」ボタンＢ１や、画像処理装置２ｂにおいて実行可能なドキュメント処理機能に対応する操作ボタンＢ２〜Ｂ４の表示状態を継続することができる。そのため、操作画面Ｇ４から操作画面Ｇ５に更新された後に、ユーザーがそれらのボタンＢ１〜Ｂ４を操作するときでも、操作画面Ｇ５をそれ以前の操作画面Ｇ４に戻す必要がなく、そのまま操作を行うことができるので操作性が向上する。
【００６７】
またこの操作画面Ｇ５においても、ユーザーがそれ以前にジョブの設定操作などを行っていた場合には、表示画像ＧＨ２が嵌め込まれた嵌込み領域Ｒを除く、周辺の表示領域に対して、それ以前にユーザーが設定したジョブの設定内容などを表示することも可能である。そのため、ユーザーが設定内容などを確認するために画面切り替え操作などを行う必要がなくなるので操作性が向上する。
【００６８】
次に、プロセスＰ１１で表示される操作画面Ｇ５のうち、嵌込み領域Ｒ以外の周辺表示領域に対して操作が行われた場合の表示処理について説明する。ここでは、その周辺表示領域に、ドキュメントファイルのプレビュー画像を表示指示するためのプレビューボタンＢ２（図１２参照）が表示されており、このプレビューボタンＢ２がログインユーザーにより操作された場合を例示する。図１３は、この操作が行われた場合の表示処理を示すフローチャートである。
【００６９】
図１３に示すように、ログインユーザーにより周辺表示領域が操作されると（プロセスＰ４１）、画像処理装置２ａの表示制御部２６３は、画像処理装置２ｂにプレビュー画像の作成を要求すべきか否かを判定する処理を行う（プロセスＰ４２）。例えば、ユーザーによって指定されたプレビュー機能が画像処理装置２ａに搭載されておらず、画像処理装置２ｂにおいてのみ実行可能な機能である場合、或いは、画像処理装置２ａにプレビュー機能が搭載されているものの、ユーザーによって指定されたドキュメントファイルが、画像処理装置２ａにおいてプレビュー画像を生成することができないファイル形式のドキュメントファイルである場合、表示制御部２６３は、画像処理装置２ｂにプレビュー画像の作成を要求すべきであると判定する。またこの他にも、例えば、ユーザーによって指定されたドキュメントファイルに地紋及びスタンプの少なくとも一方が付加されている場合、或いは、画像処理装置２ａがジョブ実行中の状態である場合に、表示制御部２６３は、画像処理装置２ｂにプレビュー画像の作成を要求すべきであると判定する。
【００７０】
ここで、ドキュメントファイルに地紋及びスタンプの少なくとも一方が付加されている場合に、画像処理装置２ｂにプレビュー画像の作成を要求すべきであるのは、地紋やスタンプのデータは画像処理装置２ｂから画像処理装置２ａに渡されておらず、画像処理装置２ｂにおいてのみ保持されているため、画像処理装置２ａでは地紋やスタンプをドキュメントに付加したプレビュー画像を作成することができないからである。したがって、表示制御部２６３は、ユーザーによって指定されたドキュメントファイルが、画像処理装置２ａにおいてプレビュー画像を生成することが可能なファイル形式のドキュメントファイルであっても、そのドキュメントファイルに地紋及びスタンプの少なくとも一方が付加されていれば、画像処理装置２ｂにプレビュー画像の作成を要求すべきであると判定する。
【００７１】
また画像処理装置２ａがジョブ実行中の状態である場合に、画像処理装置２ｂにプレビュー画像の作成を要求すべきであるのは、プレビュー画像の作成により実行中のジョブの処理能力が低下するのを回避するためである。
【００７２】
表示制御部２６３は、画像処理装置２ｂにプレビュー画像の作成を要求すべきであると判断すると、図１３に示すように、その周辺表示領域に対する操作情報を画像処理装置２ｂに送信する。つまり、表示制御部２６３は、プレビューボタンＢ２が操作されたことを示す操作情報を画像処理装置２ｂに送信することにより、操作画面の一部に設けられた嵌込み領域Ｒに嵌め込むためのプレビュー画像を含んだ表示画像を画像処理装置２ｂへ要求するのである。このとき送信される操作情報のフォーマットの一例を図１４（ａ）に示す。
【００７３】
図１４（ａ）に示すように、操作情報は、通知内容及び指示内容に関する情報を含んでいる。図１４（ａ）に示す操作情報は、「タッチ操作」によってプレビュー画像を含んだ表示画像の作成を要求することを示す情報である。
【００７４】
画像処理装置２ｂの表示制御部２６３は、この操作情報に基づいて、ログインユーザーによって指定されたドキュメントファイルに基づいてプレビュー画像を生成し、更にそのプレビュー画像を含む表示画像を生成する。そして画像処理装置２ｂの表示制御部２６３は、プレビュー画像を含む表示画像をビットマップに変換することにより、画像処理装置２ａで表示可能な表示画像ＧＨ３を生成する。そして画像処理装置２ｂの表示制御部２６３は、画像処理装置２ａで表示可能なプレビュー画像を含む表示画像ＧＨ３を画像処理装置２ａに送信する（プロセスＰ４３）。このとき、画像処理装置２ｂの表示制御部２６３は、表示画像ＧＨ３と共に、その表示画像ＧＨ３に関する返信情報を画像処理装置２ａに送信する。この返信情報のフォーマットの一例を図１４（ｂ）に示す。
【００７５】
図１４（ｂ）に示すように、返信情報は、更新種別、画像種別、表示領域の幅及び高さ、及び、表示画像のデータ量に関する情報を含んでいる。更新種別とは、嵌込み領域Ｒのみの更新（画像更新）であるのか、操作画面全体の更新（画面更新）であるのかを示すものであり、周辺表示領域に対して操作が行われた場合、操作画面全体の更新（画面更新）が行われる。画像種別は、嵌込み領域Ｒに表示する画像の種類を示すものである。表示領域幅、高さ及びデータ量は、図６（ｂ）に示すものと同様のものである。
【００７６】
図１４（ｂ）に示す返信情報は、現在指定されているドキュメントファイルのプレビュー画像、及び、そのプレビュー画像を含む表示画像ＧＨ３が、幅６００（pixel）、高さ４００（pixel）、データ量１０２４（Kbyte）であることを示している。プレビュー画像を含む表示画像ＧＨ３の一例を図１５（ｂ）に示す。この表示画像ＧＨ３では、画像全体の左側部分にドキュメントファイルのプレビュー画像が含まれている。尚、表示画像ＧＨ３の右側部分には、例えばプレビュー対象となっているドキュメントファイルのファイル名、ファイル形式、作成日、作成者、全ページ数、プレビュー中のページなどの付属情報が表示されるようになる。
【００７７】
一方、画像処理装置２ａの表示制御部２６３は、画像処理装置２ｂにおいて表示画像ＧＨ３が作成される処理と並行して、操作画面全体の更新を行う（プロセスＰ４４）。図１５（ａ）に更新後の操作画面Ｇ６の一例を示す。図１５（ａ）に示す操作画面Ｇ６は、その一部の表示領域に、画像処理装置２ｂに作成されるプレビュー画像を含む表示画像ＧＨ３を嵌め込むための嵌込み領域Ｒが設けられた画面構成となる。
【００７８】
また、操作画面Ｇ６は、それ以前の操作画面Ｇ５で表示されていた「ＢＯＸ」ボタンＢ１や、画像処理装置２ｂにおいて実行可能なドキュメント処理機能に対応する操作ボタンＢ２〜Ｂ４が継続して表示されると共に、プレビュー画像の表示に関する操作ボタンＢ５〜Ｂ７が新たに追加された画面構成となっている。例えば、操作ボタンＢ５は、嵌込み領域Ｒに表示されるプレビュー画像の拡大表示を指示するボタン、操作ボタンＢ６は、プレビュー画像の縮小表示を指示するボタン、操作ボタンＢ７は、プレビュー画像のページ切替を指示するボタンとなっている。ただし、上記以外のボタンが更に追加されて表示されるものであっても構わない。
【００７９】
そして画像処理装置２ａが表示画像ＧＨ３とその表示画像ＧＨ３に関する返信情報とを受信すると、表示制御部２６３は、表示画像ＧＨ３を、図１５（ａ）に示すような更新後の操作画面Ｇ６における嵌込み領域Ｒに嵌め込み（プロセスＰ４５）、表示画像ＧＨ３を嵌め込んだ操作画面を表示部２３１に表示する（プロセスＰ４６）。図１６に、画像処理装置２ｂから受信した表示画像ＧＨ３を嵌込み領域Ｒに嵌め込んだ操作画面Ｇ７を示す。このように操作画面Ｇ７では画像処理装置２ｂで生成されたプレビュー画像が表示されるため、ログインユーザーによって選択されたドキュメントファイルが画像処理装置２ａでプレビュー画像を作成することができないファイルであっても、そのファイルに対応するプレビュー画像を表示することができる。また他の画像処理装置２ｂで作成される表示画像ＧＨ３は、上述した表示画像ＧＨ１，ＧＨ２と同様、表示部２３１に表示される操作画面Ｇ７の全体に表示されるのではなく、操作画面Ｇ７の一部の嵌込み領域Ｒに表示されるため、その嵌込み領域Ｒを除く、周辺の表示領域に対して、それ以前から表示されているボタンを継続的に表示したり、ユーザーがそれ以前に設定したジョブの設定内容などを表示したりできるため、操作性が向上する。
【００８０】
これに対し、表示制御部２６３は、画像処理装置２ａにおいてプレビュー画像を作成すると判断した場合には、次のような表示処理を行う。図１７は、この場合の表示処理を示すフローチャートである。
【００８１】
図１７に示すように、ログインユーザーにより周辺表示領域が操作され（プロセスＰ５１）、表示制御部２６３が画像処理装置２ｂにプレビュー画像の作成を要求する必要はないと判断すると（プロセスＰ５２）、その周辺表示領域に対して行われた操作に基づく操作情報を画像処理装置２ｂに送信して、他の画像処理装置２ｂにドキュメントファイルを要求する。この操作情報のフォーマットの一例を図１８に示す。図１８に示す操作情報は、要求種類及びドキュメント名に関する情報を含んでいる。そして要求種類には、ドキュメントファイルの取得を要求する情報が含まれ、ドキュメント名には取得対象となるドキュメントのファイル名などが含まれる。図１８に示す要求情報は、「ドキュメント２」のドキュメントファイルを要求することを示している。
【００８２】
画像処理装置２ｂは、この操作情報を受信すると、該操作情報に基づいてドキュメント２のドキュメントファイルを記憶部２５の文書ボックスから読み出して画像処理装置２ａに送信する（プロセスＰ５３）。
【００８３】
一方、画像処理装置２ａの表示制御部２６３は、ドキュメントファイルの要求と並行して、操作画面全体の更新を行う（プロセスＰ５４）。この更新後の操作画面は、プレビュー画像の作成要求を画像処理装置２ｂに対して行った場合の操作画面（図１５（ａ）参照）と同様である。ただし、嵌込み領域Ｒについては、特に設定されていなくても構わない。
【００８４】
また画像処理装置２ａの表示制御部２６３は、画像処理装置２ｂからドキュメントファイルを受信すると、その受信したドキュメントファイルに基づいてプレビュー画像を作成する（プロセスＰ５５）。そして、例えば図１９に示すように、表示制御部２６３は、そのプレビュー画像ＰＶを操作画面Ｇ６に合成した操作画面Ｇ８を表示部２３１に表示する（ステップＳ５６）。尚、図１９の例では、嵌込み領域Ｒに対してプレビュー画像ＰＶを嵌め込むのではなく、操作画面Ｇ８の中央に比較的大きなサイズでプレビュー画像ＰＶを配置する例を示しているが、これに限られるものではない。例えば、画像処理装置２ａで生成したプレビュー画像ＰＶを嵌込み領域Ｒに嵌め込むことにより、図１６と同様の画面構成とするものであっても良い。
【００８５】
以上のように、本実施形態に係る画像処理装置２ａは、他の画像処理装置２ｂに記憶されているドキュメントのドキュメント情報を操作画面に表示する際、他の画像処理装置２ｂにそのドキュメント情報に関する表示画像を要求し、他の画像処理装置２ｂから受信する表示画像を操作画面の嵌込み領域Ｒに嵌め込んで表示する機能を有している。一方、画像処理装置２ｂは、他の画像処理装置２ａからドキュメント情報に関する表示画像が要求されると、その要求に応じた表示画像を生成して他の画像処理装置２ａに送信する機能を有している。このような構成によれば、一の画像処理装置２ａが他の画像処理装置２ｂに記憶されているドキュメント情報を操作画面に表示する際には、それまでの操作画面で表示されていた操作ボタンやジョブの設定内容などを、嵌め込み領域Ｒ以外の領域に配置して表示することができるため、ユーザーが画面切り替え操作を行う回数を低減することが可能である。また他の画像処理装置２ｂに記憶されているドキュメントのファイル形式が画像処理装置２ａにおいて処理可能なファイル形式でない場合であっても、画像処理装置２ａは、そのドキュメントのドキュメント情報を操作画面に表示することが可能であり、しかもファイル形式を変換する必要もない。したがって、他の画像処理装置２ｂに記憶されているドキュメント情報に関する操作画面に表示する際の利便性を向上することができる。
【００８６】
また、画像処理装置２ａは、他の画像処理装置２ｂで生成された表示画像が表示されている嵌込み領域Ｒに対してユーザーによる操作が行われたときには、その操作に基づく操作情報を他の画像処理装置２ｂに送信することにより、他の画像処理装置２において更新された表示画像を更に取得し、嵌込み領域Ｒに嵌め込んで表示する。したがって、画像処理装置２ａは、他の画像処理装置２ｂに記憶されているドキュメントのファイル形式が画像処理装置２ａにおいて処理可能なファイル形式でない場合であっても、ユーザーによる操作に基づいて嵌込み領域Ｒに嵌め込んで表示する表示画像を順次更新していくことができるようになる。
【００８７】
また、画像処理装置２ａは、嵌込み領域Ｒに嵌め込まれた表示画像に含まれるドキュメントファイルを指定する操作が行われたときには、その操作に基づく操作情報を他の画像処理装置２ｂに送信することにより、他の画像処理装置２ｂからドキュメントファイルが指定された状態を示す表示画面を取得し、その表示画像を嵌込み領域Ｒに嵌め込んで表示する。これにより、そのドキュメントファイルが指定された状態を示す表示画面をユーザーに視認させることができる。
【００８８】
また、画像処理装置２ａは、ユーザーにより嵌込み領域Ｒ以外の周辺表示領域に対する操作が行われたときには、その操作に基づいて操作画面の全体を更新する。これにより、嵌込み領域Ｒに表示画像を表示しつつ、ユーザーによって指定された機能に対応する操作画面を表示することができる。
【００８９】
また、画像処理装置２ａは、プレビュー画像の作成を自機で行える状況や環境である場合にはプレビュー画像の作成を行うようにしても良い。この場合、他の画像処理装置２ｂにプレビュー画像の作成を要求するよりも、早期にプレビュー画像をユーザーに視認させることができる。
【００９０】
また、画像処理装置２ａは、他の画像処理装置２ｂに記憶されているドキュメント情報を操作画面に表示する際、他の画像処理装置２において実行可能なドキュメント処理に関する機能情報を取得し、その機能情報に基づいて嵌込み領域Ｒ以外の周辺表示領域に操作ボタンなどの画像を表示する。そして、その操作ボタンなどの画像に対する操作が行われると、画像処理装置２ａは、その操作に基づく操作情報を他の画像処理装置２ｂに送信して他の画像処理装置２ｂにドキュメント処理を実行させると共に、他の画像処理装置２ｂにおいて更新された表示画像を取得して嵌込み領域Ｒに嵌め込んで表示するように構成される。このような構成に関し、上記実施形態では、画像処理装置２ａが他の画像処理装置２ｂに対してプレビュー画像の生成処理を実行させる場合を例示したが、これに限られるものではない。例えば、画像処理装置２ａが他の画像処理装置２ｂに対してＯＣＲ（Optical Character Reader）などの文字認識処理を実行させてその認識結果に関する表示画面を取得して表示するものであっても良いし、また画像処理装置２ａが他の画像処理装置２ｂに対して自動翻訳処理を実行させてその処理結果に関する表示画面を取得して表示するものであっても良い。そしてこのような構成によれば、画像処理装置２ａは、自機が有していない機能であっても、他の画像処理装置２ｂが有する機能であれば、他の画像処理装置２ｂに処理を行わせてその処理結果を操作画像に表示することができるようになる。
【００９１】
以上、本発明に関する一実施形態について説明したが、本発明は上述した一実施形態の内容に限定されるものではない。
【００９２】
例えば上記実施形態では、画像処理装置２ａにおいてログインユーザーがアクセス可能な文書ボックスの一覧表示を行うとき、画像処理装置２ａが他の画像処理装置２ｂから取得する文書ボックスに関する情報に基づいて図５に示した操作画面Ｇ２の全体を作成し、表示部２３１に表示する例について説明した。しかし、これに限られるものではない。文書ボックスはドキュメントファイルを保存しておくためのものであるため、文書ボックスに関する情報もドキュメント情報の一つである。そのため、画像処理装置２ａが他の画像処理装置２ｂに設けられている文書ボックスの一覧表示を行うときには、他の画像処理装置２ｂに表示画像の作成を要求し、他の画像処理装置２ｂから文書ボックスの一覧表示に関する表示画像を取得するようにしても良い。この場合、画像処理装置２ａの表示制御部２６３は、他の画像処理装置２ｂから取得する文書ボックスの一覧表示に関する表示画像を、操作画面の一部の表示領域（嵌込み領域）Ｒに嵌め込んで表示することが可能である。
【００９３】
また上記実施形態では、画像処理装置２がＭＦＰなどのような複数のドキュメント処理機能を有する装置によって構成される場合を例示した。しかし、本発明の画像処理装置は、そのような装置に限られるものではない。例えば、プリント機能のみを備えたプリンターであっても良い。また本発明の画像処理装置は、一般的なパーソナルコンピュータ（ＰＣ）で構成されるものであっても良い。
【符号の説明】
【００９４】
１  画像処理システム
２（２ａ，２ｂ，２ｃ）  画像処理装置
２４  通信インタフェース部（通信手段）
２３１  表示部（表示手段）
２６１  ジョブ制御部（ジョブ制御手段）
２６２  操作検知部（操作検知手段）
２６３  表示制御部（表示制御手段、第１の表示制御手段、第２の表示制御手段）
Ｒ  嵌込み領域（一部の表示領域）
【図１】
2015061259.tif 000003
【図２】
2015061259.tif 000004
【図３】
2015061259.tif 000005
【図４】
2015061259.tif 000006
【図５】
2015061259.tif 000007
【図６】
2015061259.tif 000008
【図７】
2015061259.tif 000009
【図８】
2015061259.tif 000010
【図９】
2015061259.tif 000011
【図１０】
2015061259.tif 000012
【図１１】
2015061259.tif 000013
【図１２】
2015061259.tif 000014
【図１３】
2015061259.tif 000015
【図１４】
2015061259.tif 000016
【図１５】
2015061259.tif 000017
【図１６】
2015061259.tif 000018
【図１７】
2015061259.tif 000019
【図１８】
2015061259.tif 000020
【図１９】
2015061259.tif 000021